(57)【要約】【課題】  適切な商品表示を簡単に可能とし、かつ商品に関する情報を従来よりも多く提供可能な商品表示システムおよび商品表示装置を提供する。【解決手段】  本発明の商品表示システムは、ＩＣタグ１ａ内蔵の可逆性表示記録媒体１を含む商品表示装置と、ＩＣタグリーダとを備え、前記可逆性表示記録媒体１が、商品情報表示部を有し、前記商品情報表示部に目視可能な商品情報が記載され、前記ＩＣタグ１ａには、商品情報が記録され、前記ＩＣタグリーダにより、前記ＩＣタグ１ａの商品情報が取得可能であることを特徴とする。【選択図】  図１
2011081525.tif 000002
【特許請求の範囲】
【請求項１】
ＩＣタグ内蔵の可逆性表示記録媒体を含む商品表示装置と、ＩＣタグリーダとを備え、
前記可逆性表示記録媒体が、商品情報表示部を有し、前記商品情報表示部に目視可能な商品情報が記載され、
前記ＩＣタグには、商品情報が記録され、
前記ＩＣタグリーダにより、前記ＩＣタグの商品情報が取得可能であることを特徴とする商品表示システム。
【請求項２】
前記商品表示装置が、さらに、可逆性表示記録媒体の発行装置を含み、
前記発行装置は、前記可逆性表示記録媒体の目視可能な商品情報を記載および消去可能であり、
前記発行装置は、前記ＩＣタグに商品情報を記録または消去可能である、
ことを特徴とする請求項１記載の商品表示システム。
【請求項３】
前記発行装置は、制御手段と、記憶手段とを備え、
前記記憶手段に、商品情報が記憶され、
前記制御手段により、前記記憶手段に記憶された商品情報に基づき、前記可逆性表示記録媒体の前記商品情報表示部に商品情報が記載され、
前記制御手段により、前記可逆性表示記録媒体の前記ＩＣタグに商品情報が記録されることを特徴とする請求項２記載の商品表示システム。
【請求項４】
前記制御手段が、商品管理手段を含み、
前記商品管理手段は、前記記憶手段に記憶された商品情報に基づき商品の状況を管理し、
前記商品管理手段は、商品の状況情報を取得し、
前記取得された商品の状況情報が、前記記憶手段に記憶される、
ことを特徴とする請求項３記載の商品表示システム。
【請求項５】
さらに、商品管理装置を含み、
前記発行装置は、システム外の通信回線網を介して、前記商品管理装置と接続可能であり、
前記商品管理装置は、商品管理手段と、記憶手段とを含み、
前記記憶手段は、前記発行装置から送信された商品情報が記憶され、
前記商品管理手段は、前記記憶手段に記憶された商品情報に基づき商品の状況を管理し、
前記商品管理手段は、商品の状況情報を取得し、
前記取得された商品の状況情報が、前記発行装置に送信され、
前記発行装置の前記記憶手段に前記商品の状況情報が記憶される、
ことを特徴とする請求項３記載の商品表示システム。
【請求項６】
前記商品の状況情報が、商品の位置情報であり、
前記商品管理手段が、前記ＩＣタグリーダが読み取った前記商品の位置情報を取得する、ことを特徴とする請求項４または５記載の商品表示システム。
【請求項７】
商品が、食品であることを特徴とする請求項１から６のいずれか一項に記載の商品表示システム。
【請求項８】
請求項１から７のいずれか一項に記載の商品表示システムに使用され、
ＩＣタグ内蔵の可逆性表示記録媒体を含むことを特徴とする商品表示装置。
【発明の詳細な説明】
【技術分野】
【０００１】
本発明は、商品表示システムおよび商品表示装置に関する。
【背景技術】
【０００２】
商品を店頭で販売する場合、商品毎に、商品名および値段等の表示がされるのが一般的である。特に、消費者の食に対する安全安心志向に伴い、食品に関しては、ＪＡＳ法によって、食品の表示が規定されている（非特許文献１および２）。ＪＡＳ法によれば、例えば、農産物および畜産物には「名称」と「原産地」とが、水産物には「名称」および「原産地」に加え、「解凍」および「養殖」等の表示が必要になる。しかしながら、食品の表示が適切に行われていない場合がある。食品の店頭での表示は、販売員が手書きで行うことも多い。この場合、故意の偽装表示は論外として、食品は、毎日入荷され、かつ原産地が日によって変わることが多いという実情があり、手書きでの表示が煩雑であったり、原産地の誤認による表示ミスが起こる場合もある。このような場合、不利益を受けるのは消費者であるが、ＪＡＳ法に基づき、販売者に対しては行政庁から指導が行われる。
【０００３】
一方、従来の商品表示では、文字等の目視で認識可能な表示であるため、提供できる情報量に限界がある。最近の消費者は、購入に当たっては、事前に商品に関する情報を収集するが、収集方法は、自宅でのインターネットによる検索等である。しかし、これでは、店舗で商品を見ながら情報収集することは困難である。
【先行技術文献】
【非特許文献】
【０００４】
【非特許文献１】「知っておきたい食品の表示」（平成２１年３月版）農林水産省
【非特許文献２】「食品品質表示の早分かり」（平成２０年７月版）農林水産省
【発明の概要】
【発明が解決しようとする課題】
【０００５】
そこで、本発明は、適切な商品表示を簡単に可能とし、かつ商品に関する情報を従来よりも多く提供可能な商品表示システムおよび商品表示装置の提供を目的とする。
【課題を解決するための手段】
【０００６】
本発明の商品表示システムは、ＩＣタグ内蔵の可逆性表示記録媒体を含む商品表示装置と、ＩＣタグリーダとを備え、前記可逆性表示記録媒体が、商品情報表示部を有し、前記商品情報表示部に目視可能な商品情報が記載され、前記ＩＣタグには、商品情報が記録され、前記ＩＣタグリーダにより、前記ＩＣタグの商品情報が取得可能であることを特徴とする。
【０００７】
本発明の商品表示装置は、前記本発明の商品表示システムに使用する商品表示装置であって、ＩＣタグ内蔵の可逆性表示記録媒体を含むことを特徴とする。
【発明の効果】
【０００８】
本発明によれば、前記可逆性表示記録媒体を使用しているため、発行装置に適切な情報を予め記憶させておけば、簡単に、適切な商品情報を目視可能なように表示することが可能である。また、前記可逆性表示記録媒体は、ＩＣタグを内蔵しているため、前記ＩＣタグに商品情報を記録することも可能であり、その結果、タグリーダで詳しい商品情報を取得することも可能である。さらに、本発明では、ＩＣタグにより、店舗および倉庫等での商品管理の効率化が図れる。
【図面の簡単な説明】
【０００９】
【図１】図１（Ａ）および（Ｂ）は、本発明のシステムに使用する可逆性表示記録媒体の一例を示す模式図である。
【図２】図２は、本発明の商品表示システムの一例を示す構成図である。
【図３】図３は、本発明による商品表示の一例を示す説明図である。
【図４】図４は、本発明の商品表示システムのデータベースの構成の一例を示す構成図である。
【図５】図５は、本発明の商品表示システムの処理の流れの一例を示すフローチャート図である。
【図６】図６は、本発明の商品表示システムのその他の例を示す構成図である。
【図７】図７（Ａ）および（Ｂ）は、本発明のシステムの処理の流れのその他の例を示すフローチャート図である。
【図８】図８は、本発明の商品表示システムにおけるタグの回収の一例を示す説明図である。
【図９】図９は、本発明の商品表示システムにおける商品管理の一例を示す説明図である。
【発明を実施するための形態】
【００１０】
本発明の商品表示システムにおいて、前記商品表示装置が、さらに、可逆性表示記録媒体の発行装置を含み、前記発行装置は、前記可逆性表示記録媒体の目視可能な商品情報を記載および消去可能であり、前記発行装置は、前記ＩＣタグに商品情報を記録または消去可能であることが好ましい。
【００１１】
本発明の商品表示システムにおいて、前記発行装置は、制御手段と、記憶手段とを備え、
前記記憶手段に、商品情報が記憶され、前記制御手段により、前記記憶手段に記憶された商品情報に基づき、前記可逆性表示記録媒体の前記商品情報表示部に商品情報が記載され、
前記制御手段により、前記可逆性表示記録媒体の前記ＩＣタグに商品情報が記録されることが好ましい。
【００１２】
本発明の商品表示システムにおいて、前記制御手段が、商品管理手段を含み、前記商品管理手段は、前記記憶手段に記憶された商品情報に基づき商品の状況を管理し、前記商品管理手段は、商品の状況情報を取得し、前記取得された商品の状況情報が、前記記憶手段に記憶されるという態様であってもよい。
【００１３】
本発明の商品表示システムにおいて、さらに、商品管理装置を含み、前記発行装置は、システム外の通信回線網を介して、前記商品管理装置と接続可能であり、前記商品管理装置は、商品管理手段と、記憶手段とを含み、前記記憶手段は、前記発行装置から送信された商品情報が記憶され、前記商品管理手段は、前記記憶手段に記憶された商品情報に基づき商品の状況を管理し、前記商品管理手段は、商品の状況情報を取得し、前記取得された商品の状況情報が、前記発行装置に送信され、前記発行装置の前記記憶手段に前記商品の状況情報が記憶されるという態様であってもよい。前記通信回線網は、例えば、インターネットおよびイントラネットである。
【００１４】
本発明の商品表示システムにおいて、前記商品の状況情報が、商品の位置情報であり、
前記商品管理手段が、前記ＩＣタグリーダが読み取った前記商品の位置情報を取得することが好ましい。
【００１５】
本発明の商品表示システムにおいて、商品の種類は制限および限定されないが、例えば、食品が好ましい。
【００１６】
以下、本発明の商品情報システムについて、詳細に説明する。ただし、本発明は、以下の実施形態に制限および限定されない。
【００１７】
（実施形態１）
図１に、本発明の商品表示システムで使用するＩＣ内蔵の可逆性表示記録媒体（以下、「タグ」という。）の一例を示す。図１（Ａ）に示すように、タグ１は、表面１ａに商品情報表示を有し、ここに目視可能なように、商品情報が記載される。同図のタグには、商品名として「たまねぎ」と、原産地として「○○県産」とが記載されている。また、タグ１の表面１ａには、バーコードおよびＱＲコード等を有していても良い。その他、タグ１の表面１ａには、発行情報として、「発行日時」および「発行番号」が記載されている。また、図１（Ｂ）に、タグ１の裏面１ｂを示す。同図に示すように、タグ１の裏面１ｂには、何も記載されていないが、商品情報および発行情報等を記載してもよい。また、このタグ１には、ＩＣタグ１ｃが内臓されている。前記ＩＣタグ１ｃとしては、例えば、パッシブ型ＲＦＩＤタグ、アクティブ型ＲＦＩＤタグがあげられる。前記パッシブ型ＲＦＩＤタグとしては、例えば、ラベル型タグ、金属対応タグ、樹脂成型タグ等があげられる。前記アクティブ型ＲＦＩＤタグとしては、例えば、電源を内蔵するアクティブタグがあげられる。ＩＣ内蔵型のタグは、「リライタブルタグ」と通称され、発行装置と共に市販されている。タグ１は、発行装置によって、商品情報表示部の記載および記載の消去が可能であり、何回でも利用できる。したがって、タグ１は、商品毎に商品情報を表示する商品表示に適している。また、タグ１は、通常、プラスチック製であり、湿気に強く、食品売場のような水気が多い場所の使用に適している。また、商品表示は、通常、紙で実施されてきたが、一度使用した商品表示の紙は破棄され、コストおよび環境の面で問題があったが、本発明のシステムでは、タグを使用するため、コストおよび環境の面での問題が解決できる。
【００１８】
図２に、本発明の商品表示システムの一例を示す。図示のように、本システムは、タグ１と、発行装置２を含む。発行装置２は、パーソナルコンピュータ（ＰＣ、制御手段）２１、データベース２３ａ（記憶手段）およびプリンタ２２を備え、データベース２３ａおよびプリンタ２２は、ＰＣ２１に接続している。データベース２３ａに記憶された商品情報に基づき、ＰＣ２１により制御され、プリンタ２２によりタグ１が発行される。発行されたタグ１を付して商品３が店頭に陳列される。図３に、タグ１が付された商品３が店頭に陳列された状態の一例を示す。店舗を訪れた消費者は、タグ１の商品情報表示部に記載された商品情報（「○○県産たまねぎ」、「○○円／１００ｇ」）を目視５で認識することができる。また、消費者が、ＩＣタグリーダを備えた携帯端末４（例えば、携帯電話）を持っている場合は、タグ１のＩＣタグ（図示せず）からの情報６を取得することが可能である。ＩＣタグに記録されている情報としては、後述のように、例えば、生産情報（生産者氏名、肥料等の栽培情報等）、収穫情報（収穫年月日等）、入荷情報（入荷年月日、次回入荷予定日等）が挙げられる。また、ＰＣ２１（商品管理手段）は、商品管理も実行し、データベース２３ａに記憶された商品情報に基づき商品の状況を管理し、かつ、商品の状況情報を取得する。商品の状況情報は、例えば、ＩＣタグからの情報をＩＣタグリーダで読み取って取得してもよい。その他、ヒトが直接ＰＣ２１に入力してもよい。前記取得された商品の状況情報は、データベース２３ａに記憶される。
【００１９】
本システムにおける発行装置２のデータベース２３ａには、「食品品質表示項目マスタ」２３１、「食品品質レイアウトマスタ」２３２、「小売店舗情報マスタ」２３３、「生産・流通情報マスタ」２３４、「商品入荷リスト」２３５および「商品入荷・販売ログ」２３６が格納されている。後述のように、「食品品質表示項目マスタ」２３１、「食品品質レイアウトマスタ」２３２、「小売店舗情報マスタ」２３３、「生産・流通情報マスタ」２３４および「商品入荷リスト」２３５等の商品情報により、ＩＣタグに情報が記録（書き込み）される。また、商品の販売情報、管理情報等は、「商品入荷・販売ログ」２３６に記録され、これにより、商品の状況を詳細に管理できるようになる。
【００２０】
（食品品質表示項目マスタ）
食品品質表示項目マスタは、ＪＡＳ法に準じて、食品区分に応じ、表示すべき事項が格納されている。図４に、食品品質表示項目マスタを例示する。図示のように、食品区分、名称、原産地等の表示項目があり、例えば、食品区分が農産物であれば、「名称」（アスパラガス、たまねぎ）および「原産地」の各情報が格納され、食品区分が、玄米および精米であれば、「名称」、「原料玄米」、「内容量」、「精米年月日」、「販売業者等の氏名または名称、住所及び電話番号」の各情報が格納されている。
【００２１】
（食品品質表示レイアウトマスタ）
食品品質表示レイアウトマスタには、タグに印刷するレイアウトの定義が格納されている。例えば、タグの商品情報表示部において、「名称」、「原産地」および「価格」を印刷する場合、それぞれの字体、配置、サイズおよび色彩等のレイアウトが定義されている。
【００２２】
（小売店舗情報マスタ）
小売店舗情報マスタには、ＩＣタグに記録する小売店舗に関する情報の定義が格納されている。小売店舗に関する情報の定義としては、例えば、宣伝広告および店舗情報の定義がある。店舗情報としては、例えば、営業時間、定休日、住所、電話番号、ＵＲＬ等がある。宣伝広告としては、挨拶（例：「毎度ありがとうございます。」）、ポイント情報（例：「毎週火曜日はＸＸＸカードのポイントが２倍」）、特売情報（例：「本日午後５時から６時において牛乳を表示価格から３割引」）等がある。
【００２３】
（生産・流通情報マスタ）
生産・流通情報マスタには、ＩＣタグに記録する生産・流通に関する情報の定義が格納されている。生産・流通に関する情報の定義としては、例えば、生産地、生産者、生産者からのメッセージ等がある。
【００２４】
（商品入荷リスト）
商品入荷リストには、商品毎の入荷日時情報を格納する。例えば、生鮮食品は、それ自体に鮮度表示が無いが、商品入荷リストの入荷日時をＩＣタグに記録することにより、商品の鮮度情報を消費者に提供できる。
【００２５】
（商品入荷・販売ログ）
商品入荷・販売ログには、商品の入荷から販売までの商品の状況情報を記録する。商品の状況情報としては、入荷情報（入荷日時、仕入れ価格等）、バックヤード情報（バックヤード搬入日時、保管位置、保管条件（温度等）等）、店頭出し情報（店頭出し日時、店頭出し位置、店頭出し条件（温度等）等）、販売情報（販売日時、販売価格、購入者情報（性別、年齢等）等）がある。このように、入荷から販売までの商品の状況情報を記録することで、商品在庫の見える化が可能となり、また、ＰＯＳの販売情報との連動で、商品販売戦略をリアルタイムで構築することも可能となる。
【００２６】
つぎに、図２に示す本システムの処理の一例を、図５のフローチャートに基づき説明する。まず、商品の入荷を、ＩＣタグ等で認識する（Ｓ１）。そして、商品の入荷情報をデータベース２３ａから取得し（Ｓ２）、つづいて、新たな商品情報をデータベース２３ａに登録する（Ｓ３）。つぎに、データベース２３ａの商品情報から、ＰＣ２１において、商品毎にタグ情報を生成する（Ｓ４）。生成したタグ情報に基づき、プリンタ２２によりタグ１を出力する（Ｓ５）。出力されたタグ１を付して商品３を店頭に陳列する。そして、商品が販売されたか否かを判断し（Ｓ６）、販売された場合は、販売情報をデータベース２３ａの商品入荷・販売ログ２３６に登録する（Ｓ７）。
【００２７】
（実施形態２）
つぎに、本発明の商品表示システムを、本部とチェイン店とに適用した例を図６に示す。図６において、図１から図５と同一部分には、同一符号を付している。図示のように、本システムでは、本部に、発行装置２Ａが配置され、ここでタグ１が発行される。そして、チェイン店では、商品管理装置２Ｂが配置されている。
【００２８】
本部の発行装置２Ａは、ＰＣ２１と、プリンタ２２と、データベース２３ａを主要構成要素としている。データベース２３ａには、食品品質表示項目マスタ２３１、食品品質表示レイアウトマスタ２３２、小売店舗情報マスタ２３３、生産・流通情報マスタ２３４、商品出荷リスト２３７および商品出荷・販売ログ２３８が格納されている。これらの内容は、商品出荷リスト２３７および商品出荷・販売ログ２３８を除き、実施形態１と同様である。商品出荷リスト２３７には、商品毎の出荷日時および出荷先（チェイン店名）を格納する。商品出荷・販売ログ２３８は、出荷時の情報（例えば、天気、気温等）およびチェイン店からフィードバックされる販売情報が登録される。
【００２９】
チェイン店の商品管理装置２Ｂは、ＰＣ２１（商品管理手段）とデータベース２３ｂ（記憶手段）とを主要構成要素として備える。データベース２３ｂには、商品入荷・販売ログ２３６および商品入荷リスト２３５が格納されている。商品入荷・販売ログ２３６および商品入荷リスト２３５は、実施形態１と同様である。
【００３０】
本部の発行装置２ＡのＰＣ２１と、チェイン店の商品管理装置２ＢのＰＣ２１とが、通信回線網７を介し、接続している。このため、本部の発行装置２Ａおよびチェイン店の商品管理装置２Ｂの間で、データ等のやり取り、本部からチェイン店への指示、およびチェイン店から本部への商品の状況情報のフィードバック等が可能である。
【００３１】
図７のフローチャートに基づき、本部とチェイン店との間での本システムにおける商品表示の処理の流れを説明する。
【００３２】
まず、図７（Ａ）に示すように、本部において、商品情報をデータベース２３ａに登録する（Ｓ１１）。そして、ＰＣ２１において、データベース２３ａに登録した商品情報に基づき、商品毎にタグ情報を生成し（Ｓ１２）、前記タグ情報に基づき、プリンタ２２からタグを出力する（Ｓ１３）。出力したタグ１を付して商品３をチェイン店に配送する。一方、チェイン店では、商品を受荷し、タグ１のＩＣタグからタグリーダで商品情報を取得し（Ｓ２１）、商品入荷・販売ログ２３６に登録する。バックヤードに搬入後、タグ１を商品表示として商品３を店頭に陳列する。そして、ＩＣタグからの情報またはヒトによる入力でＰＣ２１において商品が販売されたかを判断し（Ｓ２２）、販売された場合は、ＰＣ２１で販売情報を生成し、商品入荷・販売ログ２３６に登録する（Ｓ２３）。そして、生成した販売情報は、ＰＣ２１から通信回線網７を介して、本部のＰＣに送信する。本部では、販売情報の受信を判断し（Ｓ１４）、受信した場合は、販売情報を商品出荷・販売ログ２３８に販売情報を登録する（Ｓ１５）。このように、本部において、各チェイン店での販売情報を登録することで、チェイン店全体の商品の販売動向を把握することができ、これに基づき、全体的な販売計画を立てることが可能となる。
【００３３】
（実施形態３）
図８に示す本実施形態のシステムは、本部とチェイン店との間でのタグの発行と回収およびＩＣタグを利用した在庫の見える化の例である。図８において、図１から図７と同一部分には、同一符号を付している。同図に示すように、発行装置２Ａのプリンタ２２からタグ１が発行される。発行されたタグ１は、パレット８に積まれた商品３に付され、トラックに搭載されて出荷される。一方、チェイン店では、商品管理装置２Ｂにおいて、ＰＣ２１にタグリーダ２４が接続されている。そして、チェイン店のゲートにおいて、タグ１が付された商品３が入荷されると、タグ１のＩＣタグからタグリーダ２４で情報を読み取り、検品すると共に、入荷の事実と入荷された商品情報が取得され、データベース２３ｂに登録される。入荷された商品３は、バックヤードに移動して棚９に配置される。そして、店頭に商品３が移動して陳列される。その際にも、タグリーダでＩＣタグの情報が読み取られ、陳列位置情報および販売情報等の商品情報が取得され、ＰＣ２１を介してデータベース２３ｂに商品情報が登録されると共に、本部に商品情報が送信される。商品が販売された後のタグは、チェイン店で回収され、商品を入荷して本部の戻るトラックに搭載されて、本部で回収される。そして、プリンタ２２において、タグ１の前回の商品表示およびＩＣタグの情報が消去され、新たな商品表示が記載され、かつ新たな商品情報がＩＣタグに記録される。なお、図８において、タグリーダは、固定式のタグリーダを示したが、本発明は、これに制限および限定されず、ハンディタイプ（ＰＤＡ）を使用してもよい。
【００３４】
（実施形態４）
図９に示す本実施形態のシステムは、出荷から店頭の販売までの商品の動きをＩＣタグで把握して商品在庫の見える化および商品のトレーザビリティ精度の向上を実現した例である。図９において、図１から図８と同一部分には、同一符号を付している。図９（Ａ）に示すように、商品の配送場において、タグが付された商品がパレットに搭載されるが、このパレット単位で、タグに内蔵されたＩＣタグからの情報をタグリーダで読みとり、出荷時の検品をする。検品した情報は、タグ発行装置のＰＣ２１に送信される。その後、トラックに積み込み出荷する。図９（Ｂ）に示すように、商品を受け入れる各店舗において、パレット単位で荷受けの際に、タグリーダでＩＣタグの情報を読み取り、着荷検品を実施する。検品した情報は、タグ発行装置のＰＣ２１に送信される。つぎに、図９（Ｃ）に示すように、パレット単位で荷受けした商品をカーゴテナ単位に積替える。カーゴテナへの積替えの際にも、タグリーダでＩＣタグの情報を読み取り、着荷検品を実施する。検品した情報は、タグ発行装置のＰＣ２１に送信される。カーゴテナに積み替えられた商品は、店頭に搬入されるが、店頭在庫としてバックヤードに移動し、それから店頭で陳列される場合が一般的であるが、バックヤードを経由せずに、直接、店頭に陳列される場合もある。店頭における商品の動きおよび商品のステータスも、タグリーダでＩＣタグの情報を読み取ることにより、把握することができる。読み取った情報は、タグ発行装置のＰＣ２１に送信される。なお、図９において、タグリーダは、ハンディタイプ（ＰＤＡ）を示したが、本発明は、これに制限および限定されず、固定式のタグリーダを使用してもよい。
【産業上の利用可能性】
【００３５】
本発明は、商品表示が必要なあらゆる分野に使用でき、特に、正確な商品表示が必要とされる食品の表示に好ましく適用できる。
【符号の説明】
【００３６】
１      タグ
１ａ    タグの表面
１ｂ    タグの裏面
１ｃ    ＩＣタグ
２、２Ａ      発行装置
２Ｂ    商品管理装置
３      商品
４      携帯端末
５      目視
６      情報
７      通信回線網
８      パレット
９      棚
２１    パーソナルコンピュータ（ＰＣ）
２２    プリンタ
２３、２３ａ、２３ｂ  データベース
２４    タグリーダ
２３１  食品品質表示項目マスタ
２３２  食品品質レイアウトマスタ
２３３  小売店舗情報マスタ
２３４  生産・流通情報マスタ
２３５  商品入荷リスト
２３６  商品入荷・販売ログ
２３７  商品出荷リスト
２３８  商品出荷・販売ログ
【図１】
2011081525.tif 000003
【図２】
2011081525.tif 000004
【図３】
2011081525.tif 000005
【図４】
2011081525.tif 000006
【図５】
2011081525.tif 000007
【図６】
2011081525.tif 000008
【図７】
2011081525.tif 000009
【図８】
2011081525.tif 000010
【図９】
2011081525.tif 000011